(57)【特許請求の範囲】
【請求項１】
テレビ番組を受信する機能の使用にあたり前記テレビ番組のチャンネル選局が行われたとき、その選局による視聴が暫定的な視聴か継続的な視聴かを判定する選局判定手段と、
前記選局判定手段の前記継続的な視聴との判定結果に基づき仮録画要求を出力し、所定の外部操作に基づき確定録画要求を出力する遠隔録画制御手段と、
を備える携帯端末装置と、
前記携帯端末装置とは別に設置され前記テレビ番組を録画する番組録画装置と、を備え、
前記携帯端末装置と前記番組録画装置とが通信網を介して接続され、
前記番組録画装置は、前記携帯端末装置の前記遠隔録画制御手段からの前記仮録画要求に応じて消去随時の仮録画を行い、前記確定録画要求に応じて消去非随時の確定録画を行い、前記仮録画を行う際、同一の前記携帯端末装置によって既に別の番組が前記仮録画中である場合は、前記別の番組の前記仮録画を中断し、新たな前記仮録画要求に応じた番組の前記仮録画を行う、
番組録画システム。
【請求項２】
前記選局判定手段は選局されたチャンネルの視聴時間が予め設定された値を超えたか否かにより前記暫定的な視聴か前記継続的な視聴かを判定する、
請求項１に記載の番組録画システム。
【請求項３】
請求項１または２に記載の番組録画システムであって、
前記携帯端末装置は自端末が存在する放送の県域エリアを示す端末県域情報を録画要求に含めて送信し、
前記番組録画装置は自装置が存在する放送の県域エリアを示す装置県域情報と前記端末県域情報とを比較し、異なる場合は前記録画要求された番組に相当する番組を判定し録画する、
番組録画システム。
【発明の詳細な説明】
【技術分野】
【０００１】
この発明は、自宅外や遠隔地から放送番組の録画を制御する携帯端末装置および番組録画システムに関する。
【背景技術】
【０００２】
２００６年４月から地上デジタルテレビ放送の１セグメント放送（以降、ワンセグ放送と称す。）が開始され、その視聴のための携帯電話機、車載テレビ、ポータブルテレビといった種々の製品形態が登場している、中には録画機能を備えたものもある。ワンセグ放送はモバイル受信に適した変調方式を採用しているものの、ビル影やビルの内部といった電波状態の悪い状況においては安定した受信や視聴が困難となる。また、ユーザの都合により視聴を中断せざるを得ない状況も想定される。これらの中断状況に対応するため、携帯端末装置の代わりに自宅などに設置し安定的に受信ができる番組録画装置に記録し、後で視聴するといったことが考えられる。
【０００３】
特許文献１では、携帯端末装置から番組録画装置に対して、視聴していた番組のチャンネルや終了時刻といった番組の属性データを内容とする電子メールを出すことで、連携して録画の開始を行うことが開示されている。
【０００４】
特許文献２では、番組録画装置がエンドレス方式で記録し、携帯端末装置から録画要求が来た際に、該当する番組の開始部分にさかのぼって保存することが開示されている。
【０００５】
【特許文献１】特開２００５−２５２８４３号公報
【特許文献２】特開２００２−１８５９０６号公報
【発明の開示】
【発明が解決しようとする課題】
【０００６】
しかしながら、携帯端末装置での移動しながらの放送受信については、電波受信状況が刻々変化するため、画像や音声が急に乱れたり、復活したりといった不安定な期間が存在することが多く、こういった期間は番組内容を明瞭に把握することが困難であり、視聴のリカバリのためユーザが録画要求を意図的に出した段階では、既に見たかった部分が失われてしまっていることが多い。
【０００７】
例えば特許文献１のように、放送の中断が発生したことや、ユーザが意図的に録画要求を出したことを契機として録画を開始するようなシステムでは、上記のような課題を克服することは困難であった。また、放送電波状況が悪化するようなシールドされた環境では通信電波も悪化することが多く、そのような場合はメール自体の送信が不可能となってしまう。
【０００８】
また特許文献２では、エンドレス方式を前提とすることから、理想的な形で携帯端末での視聴のリカバリが可能であるが、エンドレス方式は、任意のチャンネル、任意の時間の番組を無差別に記録することから、ハードディスクドライブや受信モジュール数などの面でコストが増大し費用対効果の面や、２４時間運転のための耐久性といった面で大きな課題がある。
【０００９】
本発明はこのような問題点を解決するためになされたもので、携帯端末装置によるテレビ番組の視聴において、電波受信状況悪化等により正常に視聴できなかった場合やユーザの都合により視聴を中断せざるを得ない場合にその部分を含めて後で視聴が可能であり、かつ上述したエンドレス方式等に比べて低コストで実現可能な携帯端末装置および番組録画システムを提供することを目的とする。
【課題を解決するための手段】
【００１０】
本発明に係る番組録画システムは、テレビ番組を受信する機能の使用にあたりテレビ番組のチャンネル選局が行われたとき、その選局による視聴が暫定的な視聴か継続的な視聴かを判定する選局判定手段と、選局判定手段の継続的な視聴との判定結果に基づき仮録画要求を出力し、所定の外部操作に基づき確定録画要求を出力する遠隔録画制御手段とを備える携帯端末装置と、携帯端末装置とは別に設置されテレビ番組を録画する番組録画装置とを備え、携帯端末装置と番組録画装置とが通信網を介して接続され、番組録画装置は、携帯端末装置の遠隔録画制御手段からの仮録画要求に応じて消去随時の仮録画を行い、確定録画要求に応じて消去非随時の確定録画を行い、仮録画を行う際、同一の携帯端末装置によって既に別の番組が仮録画中である場合は、別の番組の仮録画を中断し、新たな仮録画要求に応じた番組の仮録画を行う。
【発明の効果】
【００１１】
本発明によれば、視聴者の意図的な録画要求が発行される以前から、視聴者の選局状態を解析し、短時間切り換え（ザッピング）による暫定的な視聴でなく、ある程度継続的に視聴しているということを検出した段階で、自宅等にある番組録画機に対して暫定的な録画の要求（仮録画要求）が行われ、録画が開始される。さらに、視聴者は何らかの理由で視聴が中断される場合など後で見たいときには、視聴者が確定的な録画要求（確定録画要求）を出すことにより番組は最後まで録画される。よって、意図したタイミングでなく中断したような場合やユーザの都合により視聴を中断せざるを得ない場合であっても、携帯端末装置で既に視聴した部分も含めて改めて後ほど視聴が可能であり、番組内容の流れが呼び起こされユーザの利便性が向上する。
【００１２】
仮録画の開始後において放送電波の悪化と同時に通信電波も悪化したような場合であっても、仮録画は継続して実行されていることから、後ほど通信電波が復旧したときに、仮録画を確定録画として保存することも可能である。
【００１３】
また、エンドレス方式と異なり視聴者が選局した番組のみが録画されるため、ある程度視聴者の満足が得られる時点にさかのぼった録画を、ハードディスクドライブや受信モジュール数などの面について低コストで実現可能である。
【発明を実施するための最良の形態】
【００１４】
以下、この発明をその実施の形態を示す図面に基づいて具体的に説明する。
【００１５】
＜実施の形態１＞
（構成）
まず、図１を用いて、本発明に係るテレビの番組録画システムの概略について説明する。図１は、本発明に係る番組録画システムの全体構成の一例を示す概略図である。この図１においては符号１によって、この番組録画システムが全体的に示されている。
【００１６】
図１において、１１は携帯電話機（携帯端末装置）、１２は基地局、１３はインターネット網、１４は携帯電話機１１とは別に設置されテレビ番組を録画する番組録画装置、１５はデータ伝送線である。携帯電話機１１と基地局１２は無線で接続されており、基地局１２はインターネット網１３と接続されている。さらに、番組録画装置１４は、データ電送線１５によりインターネット網１３と接続されている。すなわち、番組録画システム１は、携帯電話機１１と番組録画装置１４とが通信網を介して接続されている。
【００１７】
続いて、本実施の形態に係る携帯電話機１１の内部構成について説明する。本発明に係る携帯電話機１１は、テレビ番組を受信し表示する機能に加え、自宅など離れたところに設置された番組録画装置１４に対して、録画指示のためのコマンドを送信する機能を有する装置である。
【００１８】
図２のブロック図に、携帯電話機１１の内部構成の一例が示されている。携帯電話機１１は、記憶部２２、表示部２３、無線部２４、テレビ放送受信部２５、送受話部２６、操作部２７、スピーカ部２８を備える。また上述した各ブロックを制御する制御部２１を備え、各ブロックは制御部２１と接続される。
【００１９】
制御部２１は、ＣＰＵ等の中央演算処理装置から構成され、携帯電話機１１の動作に必要なプログラムやデータを利用して各種処理を実行する。
【００２０】
また、制御部２１は、テレビ制御部２１１、遠隔録画送信制御部２１２を有する。テレビ制御部２１１は、テレビ放送受信部２５によって受信されたテレビ番組に関する電波の表示部２３に対する表示制御を行ったり、スピーカ部２８に対する出力制御を行ったりする。
【００２１】
さらに、テレビ制御部２１１には選局判定部（選局判定手段）２１３が含まれており、携帯電話機１１のテレビ番組を受信する機能の使用にあたりテレビ番組のチャンネル選局が行われたとき、チャンネル切り換えの状況をモニタリングし、その選局による視聴がザッピングすなわち短時間的な暫定的な視聴なのか継続的な視聴なのかを判定する。継続的な場合を検出すると、遠隔録画送信制御部２１２に通知する。
【００２２】
遠隔録画送信制御部２１２は、選局判定部２１３の継続的な視聴との判定結果に基づき仮録画要求を無線部２４を介して番組録画装置１４へ出力し、また操作部２７等による所定の外部操作に基づき確定録画要求を無線部２４を介して番組録画装置１４へ出力する機能を有する。仮録画要求、確定録画要求は、受信しているテレビ番組のチャンネル情報や番組終了時刻が含まれる情報であり、詳細は後述する。
【００２３】
記憶部２２は、ＲＡＭ、ＲＯＭ等の記憶媒体から構成され、制御部２１が行う各種処理のデータやコンピュータプログラム等を記憶する。表示部２３は、テレビ画像、メール画面等を表示する液晶表示装置等から構成されている。
【００２４】
無線部２４は、基地局１２と無線通信するための無線モジュール等であり、無線通信に必要な通信プロトコルを実装している。また、基地局１２との交信により、自分の現在いるところの位置情報を取得する機能を有する。
【００２５】
テレビ放送受信部２５は、テレビ番組に関する電波を受信するための受信モジュールであり、この放送電波を受信するアンテナ、受信した複数のテレビ番組の中から制御部２１により指定されたテレビ番組の信号を抽出するチューナ等から構成されている。
【００２６】
送受話部２６は、音声の入力を行うマイク、スピーカ、Ａ／Ｄ変換回路、Ｄ／Ａ変換回路等である。操作部２７は、キー入力を行う操作ボタン等から構成され、携帯電話機１１の操作が行われる。スピーカ部２８は、スピーカ等から構成され、視聴中のテレビ番組の音声を出力する。
【００２７】
さらに続いて、本実施の形態に係る番組録画装置１４の内部構成について説明する。番組録画装置１４は、遠隔からの録画要求コマンドの受信機能を備え、そのコマンドの内容に基づきテレビ番組の録画が可能な装置である。
【００２８】
図３のブロック図に、本発明に係る番組録画装置１４の内部構成の一例が示されている。番組録画装置１４は、記憶部３２、通信制御部３３、テレビ放送受信部３４、操作部３５、入出力部３６を備える。また上述した各ブロックを制御する制御部３１を備え、各ブロックは制御部３１と接続される。
【００２９】
制御部３１は、ＣＰＵ等の中央演算処理装置により構成されている。この制御部３１は、テレビ番組の録画予約や録画したテレビ番組の再生等を行うためのコンピュータプログラムや処理用データを利用して各種処理を実施する。
【００３０】
また制御部３１は、遠隔録画受信制御部３１１、録画処理部３１２、再生処理部３１３、テレビ制御部３１４を有する。遠隔録画受信制御部３１１は、基地局１２を介して携帯電話機１１から送信された録画要求コマンドを解析する。録画処理部３１２は、デジタル放送電波から得られる番組情報から、番組の終了時刻を認識し、所定のデータ形式でテレビ番組を録画して記憶部３２に格納する。再生処理部３１３は、録画したテレビ番組を記憶部３２から読み出し、再生する。テレビ制御部３１４は、テレビ放送受信部３４によって受信したテレビ番組に関する電波の録画処理部３１２に対する出力制御を行う。
【００３１】
記憶部３２は、ＲＡＭ、ＲＯＭ等の記録媒体により構成され、テレビ番組の録画予約プログラム等のアプリケーションプログラム、各種処理データを記憶する。また例えば、録画処理部３１２が行う番組録画のための番組録画テーブルを格納することもできる。通信制御部３３は、例えばＬＡＮや通信モデム装置により構成され、基地局１２と通信するための通信プロトコルを実装する。
【００３２】
テレビ放送受信部３４は、テレビ番組に関する電波を受信する受信モジュールであり、この電波を受信するアンテナ、受信した複数のテレビ番組の中から制御部３１により指定されたテレビ番組の信号を抽出するチューナ等から構成されている。
【００３３】
操作部３５は、キー入力を行う操作ボタン、リモートコントローラとこれと無線通信する無線モジュール等から構成され、番組録画装置１４の操作入力が行われる。入出力部３６は、図示しない表示装置からの外部入力端子、外部出力のための出力端子等から構成されている。
【００３４】
（動作）
次に、本発明に係る番組録画システム１の処理動作について説明する。まず、動作の概要を図１を基に説明する。
【００３５】
番組録画システム１において、携帯電話機１１を用いてテレビ番組を視聴しているユーザが、見たい番組を探すため何回かチャンネルの切り換えを行ったあと、気に入ったチャンネルを見始める。すると、携帯電話機１１は一定時間以上同じチャンネルが継続視聴されていることを検出した場合は、番組録画装置１４に対する暫定的な仮録画の指示を行う仮録画要求コマンドを作成する。さらに、ユーザが意識して録画を望むときは、確定的な録画の指示を行う確定録画要求コマンドを作成する（以下、これらのコマンドを総称して録画要求コマンドとする。）。
【００３６】
携帯電話機１１は、番組録画装置１４に対して、作成したテレビ番組の録画要求コマンドをＩＰプロトコルを利用して送信する。すなわち、仮録画要求または確定録画要求を出す。携帯電話機１１から送信された録画要求コマンドは、無線データ通信を中継する基地局１２によって受信される。この録画要求コマンドを受信した基地局１２は、インターネット網１３、電話回線や光ファイバー等のデータ伝送線１５を介して、この録画要求コマンドを番組録画装置１４に送信する。これによって、ユーザは、携帯電話機１１から基地局１２を介して、番組録画装置１４を遠隔制御し、番組録画装置１４に視聴中のテレビ番組を録画することができる。
【００３７】
次に、動作の詳細を図２〜図５を基に説明する。図４と図５は、この番組録画システム１が行う処理動作の一例を示すフローチャートである。図４は携帯電話機１１側の動作について、図５は番組録画装置１４側の動作について示されている。
【００３８】
携帯電話機１１の制御部２１は、遠隔録画送信制御部２１２によって、以下に示すような番組録画装置１４との間での制御コマンド／レスポンスのやりとりを行う。
【００３９】
ユーザは、テレビ表示機能を有する携帯電話機１１によって、テレビ番組を視聴している。一般的に前回最後に視聴していたチャンネルが初期チャンネルとして選択される（Ｓ１０１）。具体的には、ユーザが操作部２７を操作すると、テレビ制御部２１１は、テレビ放送受信部２５が受信した電波の出力制御をする。これによって、表示部２３にテレビ番組が表示され、スピーカ部２８から音声が出力されている。
【００４０】
選局と同時に選局判定部２１３は自身が管理している連続視聴タイマを０にクリアする（Ｓ１０２）。選局判定部２１３は選局されたチャンネルの視聴時間が予め設定された値を超えたか否かにより暫定的な視聴か継続的な視聴かを判定する。
【００４１】
ユーザが、視聴している番組を録画したいと考えたときは、確定録画の処理がなされる。図示していないが、具体的には、操作部３５の特定のボタンに当該確定録画の開始要求を割り当てるなどする。まだ見始めてすぐで内容が判別できない等の場合は、確定録画要求（Ｓ１０３）は出ていなく連続視聴タイマの判定処理に続き（Ｓ１０３Ｎ）、連続視聴タイマが指定の閾値を超えているかどうかの判定を行い（Ｓ１０４）、まだ超えていない場合（Ｓ１０４Ｎ）は、視聴中断または終了の判定を行い（Ｓ１０５）、見続けている場合（Ｓ１０５Ｎ）は、連続視聴タイマの値をインクリメントする（Ｓ１０６）。インクリメントの精度は０．１秒毎でも０．５秒毎などでもよく本発明として特に定めるものではない。続いて、チャンネル切り換えの有無を判定し（Ｓ１０７）、切り換えがない場合（Ｓ１０７Ｎ）は、確定録画要求の有無判定（Ｓ１０３）に移り、切り換えがあった場合（Ｓ１０７Ｙ）は、連続視聴タイマのクリア（Ｓ１０２）に戻る。
【００４２】
一定時間以上同じチャンネルを視聴し続けると、Ｓ１０４の判定で閾値オーバーとなり、遠隔録画送信制御部２１２は仮録画要求を出すことになるが、それまでの段階で既にユーザが意図的に確定録画要求を出していた場合（Ｓ１０８Ｙ）には、要求が重複することになることから何も処理はしない。一方、確定録画要求が出ていない場合（Ｓ１０８Ｎ）には、遠隔録画送信制御部２１２は録画する番組の属性情報を取得し（Ｓ１０９）、仮録画要求のコマンドを無線部２４を介して番組録画装置１４へ送信する（Ｓ１１０）。当該属性情報はデジタル放送においては番組配列情報と呼ばれるデータとして映像や音声等と共に配信されている。
【００４３】
また、ユーザは任意の時点で視聴中の番組を意図的に録画することができる。この確定録画要求があったかどうかの判定は遠隔録画送信制御部２１２で行われ、要求があった場合（Ｓ１０３Ｙ）には、遠隔録画送信制御部２１２は録画する番組の属性情報を取得し（Ｓ１１１）、確定録画要求のコマンドを無線部２４を介して番組録画装置１４へ送信する（Ｓ１１２）。
【００４４】
一方、番組録画装置１４側の遠隔受信制御部３１１では、常に携帯電話機１１からの録画要求のためのコマンド受信待ちとなっている（Ｓ２０１）。コマンドを受信すると先ず録画のためのリソースが空いているかどうかの判別を行う（Ｓ２０２）。例えば、家族が所有する複数の携帯電話機１１で、番組録画装置１４を共有するような場合、番組録画装置１４の受信可能チャンネル数が１個しかないようなケースでは、別の人の録画が既に実行していたりすると、新たな録画要求は受け付けられなくなる。このような場合（Ｓ２０２Ｙ）は遠隔受信制御部３１１は応答として、通信制御部３３を介し録画要求ＮＧレスポンスを携帯電話機１１に送信する（Ｓ２１１）。
【００４５】
録画リソースがまだある場合（Ｓ２０２Ｎ）は、遠隔受信制御部３１１は録画要求コマンドの種類を判定する（Ｓ２０３）。図７に録画要求コマンドの構成例を示す。ヘッダ領域には番組録画装置１４の機器ＩＤ、携帯電話機１１のＩＤや認証のための情報等が含まれる。録画種別フィールドは、仮録画要求なのか確定録画要求なのかの種別が入る。放送局名フィールドは「東京スター放送」等といった放送局の名称が入る。チャンネル番号フィールドは、チャンネルを示す数字が入る。番組名フィールドには「なつかしの歌謡ショー」等といった番組名が入る。開始日時フィールドと終了日時フィールドには、当該番組の開始と終了の日にちと時刻が入る。
【００４６】
仮録画要求コマンドの場合は、次に同一携帯電話機１１から既に別の番組を仮録画中かどうかで処理が分かれ（Ｓ２０４）、該当する場合（Ｓ２０４Ｙ）は、それまでの録画をその時点で中断し、要求された新たなチャンネルでの番組の仮録画を開始する（Ｓ２０５）。仮録画がされていない場合（Ｓ２０４Ｎ）は、新たに要求されたチャンネルでの番組の仮録画を開始する（Ｓ２０６）。仮録画モードで記録した番組は、勝手に上書き消去される可能性がある。
【００４７】
確定録画要求コマンドの場合は、同一携帯電話機１１から既に同じ番組を仮録画しているかどうかの判別を行う（Ｓ２０７）。既に仮録画中の場合（Ｓ２０７Ｙ）は、仮録画というモードから確定録画というモードに変更して録画はそのまま番組終了まで継続する。確定録画モードで記録した番組は、勝手に上書き消去されることはなく、ユーザからの意図的な消去指示が必要となる。すなわち、番組録画装置１４は、携帯電話機１１の遠隔録画送信制御部２１２からの仮録画要求に応じて消去随時の仮録画を行い、確定録画要求に応じて消去非随時の確定録画を行う。仮録画中でない場合（Ｓ２０７Ｎ）は、新規に確定録画モードで録画を開始する（Ｓ２０９）。
【００４８】
録画要求が受け付けられた場合は、遠隔録画受信制御部３１１は通信制御部３３を介し、録画要求コマンドを送信してきた携帯電話機１１に対して、録画要求ＯＫレスポンスを送信する（Ｓ２１０）。
【００４９】
図６は携帯電話機１１と番組録画装置１４の連携の仕方を、時系列的に説明した図である。ここでは、連続視聴タイマの閾値を５秒とした場合の例を示している。
【００５０】
まず、携帯電話機１１が４チャンネルを選局する（Ｓ３０１）。ユーザは４秒間見た後に６チャンネルに切り換える（Ｓ３０２）。このときは連続視聴タイマが閾値を超えていないので、仮録画要求コマンドは送信されない。６チャンネルを見ていて５秒間経過すると、連続視聴タイマが閾値を超えたので、仮録画要求コマンドが発行され、番組録画装置１４に対して録画開始が指示される（Ｓ３０３）。番組録画装置１４では、６チャンネルの仮録画モードでの記録を開始する（Ｓ３０４）。
【００５１】
その後、携帯電話機１１では４チャンネルのまま３０秒位経過したところで、８チャンネルにチャンネル切り換えが行われる（Ｓ３０５）。この時点では、番組録画装置１４側ではまだ６チャンネルの録画を継続している。８チャンネルを選んでから５秒間経過すると再び仮録画要求コマンドが発行される（Ｓ３０６）。番組録画装置１４は当該コマンドを受けた時点で、６チャンネルに対する仮録画を終了し、新たに８チャンネルに対する仮録画モードでの記録を開始する（Ｓ３０７）。
【００５２】
その後、ユーザはしばらく８チャンネルを視聴していたが、放送電波状態の悪い場所に移る必要があることから、見ている番組を録画したいと考え、確定録画要求の処理を実行する。それに伴い確定録画要求コマンドが発行される（Ｓ３０８）。当該録画要求コマンドを受信した番組録画装置１４は８チャンネルの仮録画モードを確定録画モードに変更して録画を継続し、番組の最後まで記録する。また、確定録画要求が正常に受け付けられたことを示すために確定録画要求ＯＫレスポンスが発行される（Ｓ３０９）。
【００５３】
６チャンネルに対する仮録画として記録した部分は、その後随時上書き消去されることになる。なお、図６では仮録画要求コマンドに対するレスポンスについては簡略化のため省略してある。
【００５４】
（効果）
本発明によれば、視聴者の意図的な録画要求が発行される以前から、視聴者の選局状態を解析し、短時間切り換え（ザッピング）による暫定的な視聴でなく、ある程度継続的に視聴しているということを検出した段階で、自宅等にある番組録画装置１４に対して暫定的な録画の要求（仮録画要求）が行われ、録画が開始される。さらに、視聴者は何らかの理由で視聴が中断される場合など後で見たいときには、視聴者が確定的な録画要求（確定録画要求）を出すことにより番組は最後まで録画される。よって、意図したタイミングでなく中断したような場合やユーザの都合により視聴を中断せざるを得ない場合であっても、携帯電話機１１で既に視聴した部分も含めて改めて後ほど視聴が可能であり、番組内容の流れが呼び起こされユーザの利便性が向上する。
【００５５】
また、仮録画の開始後において放送電波の悪化と同時に通信電波も悪化したような場合であっても、仮録画は継続して実行されていることから、後ほど通信電波が復旧したときに、仮録画を確定録画として保存することも可能である。
【００５６】
エンドレス方式と異なり視聴者が選局した番組のみが録画され、また仮録画されたものは随時消去されるため、ある程度視聴者の満足が得られる時点にさかのぼった録画を、ハードディスクドライブや受信モジュール数などの面について低コストで実現可能である。
【００５７】
＜実施の形態２＞
（構成）
本実施の形態に係る番組録画システム１の構成を、図１〜図３を基に説明する。
【００５８】
本実施の形態に係る携帯電話機１１の遠隔録画送信制御部２１２は、自端末が存在する放送の県域エリアを示す端末県域コード（端末県域情報）を取得し、録画要求に含めて無線部２４を介して番組録画装置１４へ送信する機能を備える。
【００５９】
また、本実施の形態に係る番組録画装置１４の遠隔録画受信制御部３１１は、自装置が存在する放送の県域エリアを示す装置県域コード（装置県域情報）と、携帯電話機１１から受信した端末県域コードとを比較し、異なる場合は録画要求された番組に相当する番組を判定し、記憶部３２により録画する機能を備える。
【００６０】
本実施の形態に係る番組録画システム１のその他の構成は実施の形態１と同様であるため、ここでの詳細な説明は省略する。
【００６１】
（動作）
本実施の形態に係る番組録画システム１の動作を、図１〜図３、図８、図９を基に説明する。図８は、携帯電話機１１と番組録画装置１４が異なる県域に属している一例を模式的に示した図であり、図９は、本実施の形態に係る要求コマンドの構成を示す図である。
【００６２】
図８に示すように本実施の形態では、携帯電話機１１は県域Ｂに属し、４チャンネルで「モーニングニュース」という番組を視聴している。一方、自宅に設置された番組録画装置１４は県域Ａに属しており、同じ番組は７チャンネルで放送されていることを示している。
【００６３】
ここで、ワンセグ放送を視聴できる携帯電話機１１では、自分のいる地域の視聴可能なチャンネルを検出するためにチャンネルスキャンという動作が行われることが一般的である。携帯電話機１１の無線部２４は基地局１２と絶えず交信していることからその位置を認識することが可能であり、それを基にスキャン実行する。それ故、ワンセグ放送を視聴している際は、自身がいる放送の県域エリアが把握できていることになる。
【００６４】
本実施の形態において携帯電話機１１の遠隔録画送信制御部２１２は、無線部２４を介して端末県域コードを取得し、図９に示すように録画要求コマンドを拡張して端末県域コード４０のフィールドを追加し送信する。
【００６５】
番組録画装置１４の遠隔受信制御部３１１では当該拡張された録画要求コマンドを受信すると、端末県域コード４０と自身の属する装置県域コードとの比較を行い、違うことを認識した場合は県域Ｂでの４チャンネルが県域Ａではどのチャンネルに相当するかを判定する。その際に、日本の地上デジタル放送の標準規格であるＡＲＩＢ（電波産業会）規格で策定された、放送事業者の系列を示す系列局ＩＤ（Ａｆｆｉｌｉａｔｉｏｎ  ｉｄ)を利用し、４チャンネルの系列局が県域Ａでは７チャンネルであることを特定できる。さらに、番組名を比較することで同一番組であることを判定し、携帯電話機１１からのコマンドを読み替えることで、要望通りの番組の録画を行う。
【００６６】
また、端末県域コード４０と装置県域コードが同じであると認識した場合は、相当するチャンネルの判定動作は行われず、受信したチャンネル番号の録画が開始される。
【００６７】
本実施の形態に係る番組録画システム１のその他の動作は実施の形態１と同様であるため、ここでの詳細な説明は省略する。
【００６８】
なお、アニメ番組のような類の番組は編成上多少時間がずれて放送されるケースもある。このような場合は、番組録画装置１４が受信し蓄積している番組配列情報のＥＩＴ（Ｅｖｅｎｔ  Ｉｎｆｏｒｍａｔｉｏｎ  Ｔａｂｌｅ）のデータをサーチし、近い時間で同一の番組が存在するかどうかをチェックし、存在する場合はその番組を予約録画するようにしてもよい。これにより、現在ではなく少し先に放送時間がずれているような場合であっても、録画が可能となる。
【００６９】
また、上記の実施の形態では、録画要求コマンドを携帯電話機１１と番組録画装置１４の間のリアルタイム通信で行うことを想定しているが、コマンドの内容を電子メールの形式で行うことも可能である。しかし、電子メールの場合は、複数のメールサーバを伝播して伝わるため、高負荷時などでは到達時間がかかりレスポンスが遅くなる可能性もある。
【００７０】
（効果）
携帯端末装置が容易に受信できる地上デジタル放送では、県単位の放送免許制となっており、要求コマンドにチャンネル番号が記載されていても、携帯端末装置が存在している地域と番組録画装置が設置されている自宅の地域が県をまたいで離れたよう場合は、チャンネル番号が食い違うことがある。本実施の形態の発明は、上記のように異なる地域になってしまっても、同じ番組を探し出し録画が可能である。
【図面の簡単な説明】
【００７１】
【図１】本発明に係る番組録画システムの一構成例を示す模式図である。
【図２】本発明に係る携帯電話機の内部構成の一例を示すブロック図である。
【図３】本発明に係る番組録画装置の内部構成の一例を示すブロック図である。
【図４】本発明に係る番組録画システムにおける携帯電話機側の動作処理のフローチャートを示す図である。
【図５】本発明に係る番組録画システムにおける番組録画装置側の動作処理のフローチャートを示す図である。
【図６】本発明に係る番組録画システムにおける連携動作の一例を示す時系列の図である。
【図７】本発明に係る番組録画システムにおける録画要求コマンドの一例を示す図である。
【図８】本発明に係る番組録画システムの他の一構成例を示す模式図である。
【図９】本発明に係る番組録画システムにおける録画要求コマンドの他の一例を示す図である。
【符号の説明】
【００７２】
１  番組録画システム、１１  携帯電話機、１２  基地局、１３  インターネット網、１４  番組録画装置、１５  データ伝送線、２１  制御部、２２  記憶部、２３  表示部、２４  無線部、２５  テレビ放送受信部、２６  送受話部、２７  操作部、２８  スピーカ部、３１  制御部、３２  記憶部、３３  通信制御部、３４  テレビ放送受信部、３５  操作部、３６  入出力部、２１１  テレビ制御部、２１２  遠隔録画送信制御部、２１３  選局判定部、３１１  遠隔録画受信制御部、３１２  録画処理部、３１３  再生処理部、３１４  テレビ制御部、４０  端末県域コード。
【図１】
0005479685.tif 000002
【図２】
0005479685.tif 000003
【図３】
0005479685.tif 000004
【図４】
0005479685.tif 000005
【図５】
0005479685.tif 000006
【図６】
0005479685.tif 000007
【図７】
0005479685.tif 000008
【図８】
0005479685.tif 000009
【図９】
0005479685.tif 000010